(57)【特許請求の範囲】
【請求項１】
記録紙の給紙方向に垂直な方向に延び、発熱によって記録するライン形サーマルヘッドを有し、記録紙を給紙方向に送りながら前記ライン形サーマルヘッドで列単位で記録する画像記録装置において、
インクリボンを普通記録紙に熱転写する熱転写記録モードと、感熱記録紙を用いる感熱記録モードとを自動で切換える切換手段を備え、
前記切換手段は、熱転写記録に用いる熱転写用プラテンと、感熱記録に用いる感熱用プラテンとの２種類のプラテンを有し、かつ熱転写用プラテンまたは感熱用プラテンを退避位置と記録位置とにわたって選択的に移動させる手段を有することを特徴とする画像記録装置。
【発明の詳細な説明】
【０００１】
【発明の属する技術分野】
本発明は、ファクシミリ装置などの画像記録装置に関する。
【０００２】
【従来の技術】
図５は従来技術である画像記録装置１を示す断面図である。画像記録装置１は、給紙方向に垂直な方向（図５の紙面に垂直な方向）に延び、列単位に画像を記録するライン形サーマルヘッド６を有し、図５に示すインクリボン２を用いて普通記録紙３に画像を記録する熱転写記録モードと、図６に示す感熱記録紙４に画像を記録する感熱記録モードとを切換えることができる。
【０００３】
熱転写記録モードから感熱記録モードに切換えるときは、画像記録装置１の操作者によって、図７に示すように、画像記録装置１のカバー５を開けてインクリボン２を内蔵しているインクリボンカートリッジ２ａを画像記録装置１から取出し、感熱記録紙４がロール状に巻かれている感熱紙ロール４ａを画像記録装置１に装着し、ライン形サーマルヘッド６とプラテン７との間に感熱記録紙４を挟み込んで、画像記録装置１のカバー５を閉じる。
【０００４】
感熱記録モードから熱転写記録モードに切換えるときは、画像記録装置１の操作者によって、図７に示すように、画像記録装置１のカバー５を開けて、ライン形サーマルヘッド６とプラテン７によって挟み込まれている感熱記録紙４を取り除き、感熱紙ロール４ａを画像記録装置１から取り出し、インクリボンカートリッジ２ａを画像記録装置１に装着し、カバー５を閉じる。これに類似の技術は、たとえば特開昭６３−４５０７５号公報に開示されている。
【０００５】
【発明が解決しようとする課題】
このような従来技術では、熱転写記録モードから感熱記録モードへの切換え、および感熱記録モードから熱転写記録モードへの切換えは、画像記録装置１の操作者がインクリボンカートリッジ２ａおよび感熱紙ロール４ａを着脱することによって行われ、このように従来の画像記録装置１では、切換えのための煩雑な作業が、画像記録装置１の操作者に課せられるといった問題を有する。また、熱転写記録モードおよび感熱記録モードのいずれかの一方のモードで記録しているときに、この記録モードに対応する記録紙がなくなったときに、自動的に他方の記録モードに切換えるといったこともできない。
【０００６】
これに対し、たとえば保存性に優れる普通記録紙に記録する電子写真方式の画像記録装置、およびランニングコストに優れる感熱記録紙に記録する感熱記録方式の画像記録装置といった記録方式の異なる２つの画像記録装置を用いて、これらの画像記録装置を自動的に切換えて記録する方式として、特開昭６２−２２５０６４号公報および特開平５−１６０９８０号公報が開示されているが、この場合には、２つの装置を用いなければならないといった問題を有する。
【０００７】
サーマルヘッドを用いる画像記録装置には、サーマルヘッドが記録紙の給紙方向に垂直に往復運動して、１行ずつ記録紙に記録するシリアル形サーマルヘッドを用いて、インクリボンを普通記録紙に熱転写する熱転写記録モードと、感熱記録紙を用いる感熱記録モードとを自動で切換える画像記録装置として、特開平２−１９０３５２号公報、特開平３−２５６７８４号公報、特開平５−１１６４１８号公報および特開平５−２４４３３７号公報が開示されている。これらは、１つの画像記録装置で熱転写記録モードと感熱記録モードとを切換えることができるが、シリアル形サーマルヘッドは、ヘッドが往復運動して記録紙に記録するので、列単位で記録するライン形サーマルヘッドを用いる画像記録装置に比べて記録速度が遅いといった問題を有する。
【０００８】
本発明の目的は、ライン形サーマルヘッドを用いる画像記録装置において、操作者がインクリボンカートリッジおよび感熱記録紙を着脱することなく記録モードを切換えることができる画像記録装置を提供することである。
【０００９】
【課題を解決するための手段】
本発明は、記録紙の給紙方向に垂直な方向に延び、発熱によって記録するライン形サーマルヘッドを有し、記録紙を給紙方向に送りながら前記ライン形サーマルヘッドで列単位で記録する画像記録装置において、
インクリボンを普通記録紙に熱転写する熱転写記録モードと、感熱記録紙を用いる感熱記録モードとを自動で切換える切換手段を備え、
前記切換手段は、熱転写記録に用いる熱転写用プラテンと、感熱記録に用いる感熱用プラテンとの２種類のプラテンを有し、かつ熱転写用プラテンまたは感熱用プラテンを退避位置と記録位置とにわたって選択的に移動させる手段を有することを特徴とする画像記録装置である。
【００１０】
本発明に従えば、ライン形サーマルヘッドを有する画像記録装置の操作者が、インクリボンおよび感熱紙を着脱することなく、熱転写記録モードと感熱記録モードとを自動で切換えることができる。これによって、保存性に優れる普通記録紙を使用する熱転写記録モードと、インクリボンを必要としない感熱記録紙を使用する感熱記録モードとを操作者の手を煩わせることなく切換えることができ、画像データを目的に応じた記録モードで容易に記録することができる。前記切換手段は、熱転写記録に用いる熱転写用プラテンと、感熱記録に用いる感熱用プラテンとの２種類のプラテンを有するので、従来技術では、記録モードを変更するとき、インクリボンカートリッジと感熱紙ロールとを取り換える必要があったが、本発明では、熱転写用プラテンと、感熱用プラテンとが別々に設けられるので、記録モードを変更するときには前記プラテンを入れ替えることによって、容易に記録モードの変更を行うことができる。しかも熱転写用プラテンまたは感熱用プラテンを退避位置と記録位置とにわたって選択的に移動させることができる。
【００１７】
【発明の実施の形態】
図１は、本発明の実施の一形態である画像記録装置２１を用いるファクシミリ装置１０１を示す断面図である。画像記録装置２１は、ライン形サーマルヘッド２２と、切換手段７１と、記録紙検出手段（図示略）と、制御手段（図示略）とを含んで構成される。画像記録装置２１は、図１に示されるようにインクリボン２３を普通記録紙２４に熱転写して記録する熱転写記録モードと、図２に示されるように感熱記録紙２５に直接記録する感熱記録モードとを切換えることができる。
【００１８】
ライン形サーマルヘッド２２は、記録紙２４，２５の給紙方向Ａに垂直な幅方向（図１の紙面に垂直な方向）に直線状に配列される複数個の発熱素子を有する。１つの発熱素子が１画素を構成し、記録紙を給紙方向Ａに送りながら画像信号に応じて発熱素子を選択的に発熱させながら列単位で記録紙に記録して記録紙全面に画像を記録する。
【００１９】
熱転写記録モードにおいて用いられるインクリボン２３の一方の表面には、熱溶融性インクが塗布されている。インクリボン２３の熱溶融性インクの塗布された表面と普通記録紙２４の記録面とを密着させて、インクリボン２３の熱溶融性インクを塗布していない表面とサーマルヘッド２２の発熱素子が配列されている面とを密着させるようにして、インクリボン２３をサーマルヘッド２２と普通記録紙２４との間に挟み込み、インクリボン２３と普通記録紙２４とを給紙方向Ａに送り、サーマルヘッド２２の発熱素子を発熱させて、インクリボン２３のインクを溶融して普通記録紙２４に転写する。
【００２０】
感熱記録モードにおいて用いられる感熱記録紙２５の記録面には、加熱された部分が感熱して発色するような感熱層が形成される。感熱記録紙２５の記録面とサーマルヘッド２２とを密着させ、感熱記録紙２５を給紙方向Ａに送り、サーマルヘッド２２の発熱素子を発熱させることによって、記録面の感熱層が感熱して発色する。感熱記録紙２５は、ロール状の感熱紙ロール２５ａの状態で画像記録装置２１に装着される。
【００２１】
切換手段７１は、熱転写用プラテン２６、カム２７、感熱用プラテン２８および揺動アーム２９を含んで構成される。
【００２２】
図３および図４は、図１および図２のサーマルヘッド２２および切換手段７１を含む部分を拡大した図である。熱転写用プラテン２６は略円筒形状であり、幅方向にわたって延び、図示しないモータによって幅方向に平行な軸線Ｌ１まわりに回転駆動することができる。熱転写用プラテン２６は、図３（１）に示されるような、熱転写用プラテン２６の外周面がサーマルヘッド２２に押し付けられるプラテン記録位置と、図３（３）に示されるような、プラテン記録位置から下方に退避して、熱転写用プラテン２６の外周面とサーマルヘッド２２とが離反するプラテン退避位置とにわたって移動可能に支持されている。
【００２３】
熱転写用プラテン２６の両端に、熱転写用プラテン２６と同軸の軸受２６ａが設けられる。軸受２６ａは、熱転写用プラテン２６に対して回転自在に軸支され、軸受２６ａの外形は、熱転写用プラテン２６の外形より小さい寸法に形成される。
【００２４】
一対のカム２７は、一対の軸受２６ａに対応して配置され、それぞれ軸線Ｌ２回りに回転可能に支持される。カム２７は、回転軸線Ｌ２と、一方側の端面２７ａとの間の距離Ｗ１は、他方側の端面２７ｂとの距離Ｗ２より大きく選ばれ、カム２７の一方側の端面２７ａに軸受２６ａが乗り上げたとき、熱転写用プラテン２６はプラテン記録位置に位置決めされる。また、カム２７の他方側の端面２７ｂは、Ｌ２を中心とする円筒面に形成され、この他方側の端面２７ｂ上に軸受２６ａがあるときに、熱転写用プラテン２６はプラテン退避位置にある。熱転写用プラテン２６は、プラテン退避位置側に力を受けていて、熱転写用プラテン２６の両端の各軸受２６ａは、それぞれカム２７の外周面に常に弾発的に当接する。カム２７は、図示しないモータによって回転駆動する。熱転写用プラテン２６の軸受２６ａの外周面と、カム２７の外周面とが弾発的に当接しながらカム２７が回転することによって、熱転写用プラテン２６は、図３（１）に示されるプラテン記録位置と図３（３）に示されるプラテン退避位置との間を往復運動する。
【００２５】
ライン形サーマルヘッド２２の両端に、感熱用プラテン２８の位置決めをする、プラテン位置決め板３０が配置される。プラテン位置決め板３０は、揺動アーム２９とともに感熱用プラテン２８がサーマルヘッド２２の下まで移動したときに、感熱用プラテン２８がプラテン記録位置に配置されるように、位置決めする。このとき感熱用プラテン２８はサーマルヘッド２２の発熱素子を有する面に弾発的に押圧される。
【００２６】
図１に示すように、画像記録装置２１の下部には、給紙トレイ３２が設けられ、この給紙トレイ３２には、普通記録紙２４の有無を検出する普通紙センサ３３と、給紙トレイ３２の最上面の普通記録紙２４を１枚ずつ給紙するピックアップローラ３４とが設けられる。このピックアップローラ３４とサーマルヘッド２２との間には、普通紙搬送ローラ３５ａ，３５ｂが設けられ、サーマルヘッド２２の前方（図１の左方）には、普通紙排出ローラ３６ａ，３６ｂが設けられる。ピックアップローラ３４から後方（図１の右方）に給紙された普通記録紙２４は、普通紙搬送ローラ３５ａ，３５ｂによってサーマルヘッド２２に搬送され、さらに普通紙排出ローラ３６ａ，３６ｂによって、ファクシミリ装置１０１の前方に排出される。
【００２７】
インクリボン２３は、ロール状のインクリボンロール２３ａとして、供給ローラ３７に巻き付けられる。供給ローラ３７は、円筒形状で、軸線まわりに回転自在、かつ図示しないモータによって、インクリボン２３を巻取る方向に回転駆動可能である。転写後のインクリボン２３は、巻取りローラ３８によって巻取られる。巻取りローラ３８は、円筒形状で、図示しないモータによって、転写後のインクリボン２３を巻取る方向に回転駆動可能であって、その逆方向には回転しない。供給ローラ３７は、サーマルヘッド２２の後方に配置され、巻取りローラ３８は、サーマルヘッド２２の前方に配置され、供給ローラ３７から巻き出されたインクリボン２３は、サーマルヘッド２２の下を通過して巻取りローラ３８に巻き取られる。供給ローラ３７とサーマルヘッド２２との間にインクリボンガイド４０ａ，４０ｂが設けられ，サーマルヘッド２２と巻取りローラ３８との間にインクリボンガイド４０ｃ，４０ｄが設けられる。インクリボンガイド４０ａ，４０ｂ，４０ｃ，４０ｄは、略円筒形状であり、幅方向にわたって延び、インクリボン２３の皺の発生を防ぐものである。インクリボンガイド４０ｃは、サーマルヘッド２２および熱転写用プラテン２６と普通紙排出ローラ３６ａ，３６ｂとの間に配置され、転写後の普通記録紙２４とインクリボン２３とを分離する。熱転写記録モードで記録するときは、サーマルヘッド２２の下にインクリボン２３が配置され、その下に普通記録紙２４が配置され、これらが熱転写用プラテン２６によって弾発的にサーマルヘッド２２に押圧された状態で、普通記録紙２４とインクリボン２３とが同期して給紙方向Ａに搬送されて画像が記録される。
【００２８】
感熱用プラテン２８は略円筒形状であり、幅方向にわたって延び、図示しないモータによって軸線回りに回転駆動することができる。感熱用プラテン２８の両端に、感熱用プラテン２８と同軸に円筒形状の軸受２８ａが設けられる。軸受２８ａは、感熱用プラテン２８に対して回転自在に軸支され、軸受２８ａの外形は、感熱用プラテン２８の外形より小さい寸法に形成される。感熱用プラテン２８の外径は、熱転用プラテン２６の外径と同じ寸法に形成される。軸受２８ａの外径は、軸受２６ａの外径と同じ寸法に形成される。
【００２９】
感熱用プラテン２８は、一対の揺動アーム２９を介して円弧状に変位可能に設けられる。揺動アーム２９は、基部がサーマルヘッド２２の上方で装置本体に幅方向に平行な軸線Ｌ３まわりに装置本体に角変位可能に軸支され、遊端部に感熱用プラテン２８を軸線Ｌ４まわりに回転自在に保持している。図１に示される熱転写記録モードでは、揺動アーム２９が前方（図１の左方）に退避し、感熱用プラテン２８は、プラテン退避位置に退避し、図２に示される感熱記録モードでは、感熱用プラテン２８は、揺動アーム２９が後方（図２の右方）に移動し、感熱用プラテン２８がサーマルヘッド２２の下に配置され、プラテン記録位置に配置される。この感熱用プラテン２８のプラテン記録位置は、前述した熱転写用プラテン２６のプラテン記録位置と同一の位置である。
【００３０】
図２に示すように、揺動アーム２９が後方に移動し、感熱用プラテン２８の軸受２８ａがプラテン位置決め板３０に当接してプラテン記録位置に位置決めされると、感熱用プラテン２８は、サーマルヘッド２２の発熱素子を有する面に弾発的に押圧する。感熱紙ロール２５ａは、インクリボンロール２３ａの後方に配置される。感熱紙ロール２５ａとサーマルヘッド２２との間には、感熱紙ロール２５ａから巻き出された感熱記録紙２５をサーマルヘッド２２に向けて搬送する感熱紙搬送ローラ４４ａ，４４ｂが設けられる。また、サーマルヘッド２２の前方には、サーマルヘッド２２からの感熱記録紙２５を後方に案内する感熱紙搬送ガイド４５が設けられる。この感熱紙搬送ガイド４５は、揺動アーム２９に取付けられ、揺動アーム２９と一体となって角変位移動する。この感熱紙搬送ガイド４５の後方には、感熱記録紙２５の所定の位置で幅方向に自動的に切断するオートカッタ４６（図１参照）が配置され、さらに後方には一対の感熱紙排出ローラ４７ａ，４７ｂおよび感熱紙排出トレイ４８が設けられる。
【００３１】
プラテン記録位置に感熱用プラテン２８が位置決めされるとき、感熱紙搬送ガイド４５の入り口は、感熱用プラテン２８とサーマルヘッド２２との間に臨んでいる。したがって、感熱紙搬送ローラ４４ａ，４４ｂから前方に搬送された感熱記録紙２５は、感熱用プラテン２８とサーマルヘッド２２との間を通過し、感熱紙搬送ガイド４５に案内されて後方に反転し、オートカッタ４６を通過し、感熱紙排出ローラ４７ａ，４７ｂで後方に排紙される。感熱記録紙２５は、サーマルヘッド２２と感熱用プラテン２８との間を通過するとともに感熱記録され、１ページ分記録されると、オートカッタ４６によって切断され、感熱紙排出ローラ４７ａ，４７ｂによって感熱紙排出トレイ４８に排出される。また、感熱紙ロール２５ａの前には、感熱記録紙２５の紙切れを検出する感熱紙センサ４２が設けられる。
【００３２】
次に図３（１）〜（３）を参照して、熱転写記録モードから感熱記録モードに切換える手順について説明する。熱転写記録モードにおいて、図３（１）に示すように、熱転写用プラテン２６は、カム２７によってサーマルヘッド２２の発熱素子を有する面に圧接されている、プラテン記録位置に配置され、感熱用プラテン２８は、上方のプラテン退避位置に配置される。
【００３３】
操作者がファクシミリ装置１０１の操作パネル１０４にある、熱転写記録モードから感熱記録モードに切換える切換ボタンを押圧すると、サーマルヘッド２２と熱転写用プラテン２６との間に普通記録紙２４があるときは、普通記録紙２４が装置の外に排出される。その後、カム２７が矢符Ｃ方向（図３において時計回り）に回転駆動するとともに、供給ローラ３７がインクリボン２３を巻き取る方向に回転駆動する。これによって、熱転写用プラテン２６は、インクリボン２３によって、プラテン記録位置からプラテン退避位置側に押圧され、熱転写用プラテン２６の両端の各軸受２６ａが、それぞれ対応するカム２７の外周面に常に弾発的に当接しながら、図３（３）に示されるように、プラテン退避位置に配置される。熱転写用プラテン２６がプラテン記録位置からプラテン退避位置に移動したとき、揺動アーム２９が回転し、感熱用プラテン２８が、プラテン退避位置からプラテン記録位置に向かって揺動する。感熱用プラテン２８がサーマルヘッド２２の下まで移動し、プラテン位置決め板３０によって位置決めされて、図３（３）に示されるように感熱用プラテン２８は、プラテン記録位置に配置される。このとき、感熱用プラテン２８は、インクリボン２３および熱転写用プラテン２６に接触しない。その後、サーマルヘッド２２と感熱用プラテン２８との間に感熱記録紙２５が供給される。
【００３４】
次に図４（１）〜（３）を参照して、感熱記録モードから熱転写記録モードに切換える手順について説明する。感熱記録モードにおいて、図４（１）に示すように、感熱用プラテン２８は、揺動アーム２９およびプラテン位置決め板３０によって、サーマルヘッド２２の発熱素子を有する面に圧接するプラテン記録位置に配置され、熱転写用プラテン２６は、カム２７およびインクリボン２３によって、プラテン退避位置に配置される。
【００３５】
操作者が、ファクシミリ装置１０１の操作パネル１０４にある、感熱記録モードから熱転写記録モードに切換える切換ボタンを押圧すると、図４（１）に示されるような、サーマルヘッド２２と感熱用プラテン２８との間に感熱記録紙２５があるときは、感熱用プラテン２８および感熱紙搬送ローラ４４ａ，４４ｂによって、感熱記録紙２５の先端が、サーマルヘッド２２の後方（図４の右方）まで引き戻される。その後、揺動アーム２９が前方に揺動し、感熱用プラテン２８がサーマルヘッド２２から離間し、図４（３）に示されるような、プラテン退避位置に配置される。このとき、カム２７が矢符Ｃ方向（図４において時計回り）に回転駆動する。これによって、熱転写用プラテン２６の両端の各軸受２６ａが、それぞれ対向するカム２７の外周面に常に弾発的に当接しながら、熱転写用プラテン２６は、プラテン退避位置からプラテン記録位置に移動する。このときインクリボン２３は、熱転写用プラテン２６によって、インクリボン２３が供給される方向に引っ張られ、供給ローラ３７がインクリボン２３を巻き出す方向に回転する。カム２７が矢符Ｃ方向に回転し、熱転写用プラテン２６の軸受２６ａが、カム２７の一方側の端面２７ａに乗り上げて、図４（３）に示されるように熱転写用プラテン２６は、プラテン記録位置に配置される。このとき、感熱用プラテン２８は、インクリボン２３、普通記録紙２４および熱転写用プラテン２６に接触しない。その後、熱転写用プラテン２６とインクリボン２３との間に普通記録紙２４が搬送される。
【００３６】
画像記録装置２１に、記録紙検出手段および制御手段が設けられる。記録紙検出手段は、普通紙センサ３３および感熱紙センサ４２で構成される。普通紙センサ３３は、給紙トレイ３２における普通記録紙２４の有無を検出して、検出信号を制御手段に与える。感熱紙センサ４２は、画像記録装置２１における感熱記録紙２５の有無を検出して、検出信号を制御手段に与える。制御手段は、記録紙検出手段の検出結果に基づいて、切換手段７１を制御して、記録モードを切換える。
【００３７】
具体的には、熱転写記録モードで普通記録紙２４に記録しているときに、普通記録紙２４がなくなると、普通紙センサ３３は普通記録紙２４がなくなったことを検出して、制御手段に普通記録紙２４がなくなったことを示す検出信号を与える。制御手段は、普通紙センサ３３から与えられた検出信号に基づいて、カム２７、供給ローラ３７および揺動アーム２９を制御して、プラテン記録位置にある熱転写用プラテン２６をプラテン退避位置に配置し、プラテン退避位置にある感熱用プラテン２８をプラテン記録位置に配置する。
【００３８】
感熱記録モードで感熱記録紙２５に記録しているとき、感熱記録紙２５がなくなると、感熱紙センサ４２は感熱記録紙２５がなくなったことを検出して、制御手段に感熱記録紙２５がなくなったことを示す検出信号を与える。制御手段は、感熱紙センサ４２から与えられた検出信号に基づいて、カム２７および揺動アーム２９を制御して、プラテン記録位置にある感熱用プラテン２８をプラテン退避位置に配置し、プラテン退避位置にある熱転写用プラテン２６をプラテン記録位置に配置する。
【００３９】
またファクシミリ装置１０１には、送信元検出手段および記憶手段が設けられる。送信元検出手段は、電話番号通知サービスによってファクシミリ送信元の電話番号を検出する。記憶手段には、個々のファクシミリ送信元の電話番号に対応した記録モードを予め登録することができる。
【００４０】
具体的には、ファクシミリを受信すると、送信元検出手段がファクシミリ送信元の電話番号を検出する。検出結果がたとえば〇〇−◎◎◎◎−××××であるとする。記憶手段には、電話番号〇〇−◎◎◎◎−××××に対応する記録モードは熱転写記録モードであると予め登録されているとすると、ファクシミリ装置１０１の画像記録装置２１は、受信したファクシミリを熱転写記録モードで普通記録紙２４に記録する。ファクシミリを受信したときの送信元の検出結果が、たとえば〇〇−◎◎◎◎−＃＃＃＃であるとする。記憶手段に、電話番号〇〇−◎◎◎◎−＃＃＃＃に対応する記録モードは感熱記録モードであると予め登録されているとすると、ファクシミリ装置１０１の画像記録装置２１は、受信したファクシミリを感熱記録モードで感熱記録紙２５に記録する。
【００４１】
また、登録されていない送信元からのファクシミリを受信したときは、たとえば感熱記録モードで記録すると設定する。
【００４２】
本実施の形態の画像記録装置２１によれば、ライン形サーマルヘッド２２を有する画像記録装置２１の操作者が、インクリボン２３および感熱紙ロール２５ａを着脱することなく、熱転写記録モードと感熱記録モードとを自動で切換えることができる。これによって、保存性に優れる普通記録紙２４を使用する熱転写記録モードと、インクリボン２３を必要としない感熱記録紙２５を使用する感熱記録モードとを操作者の手を煩わせることなく切換えることができ、画像データを目的に応じた記録モードで容易に記録することができる。
【００４３】
従来技術では、記録モードを変更するとき、インクリボンカートリッジと感熱紙ロールとを取り換える必要があったが、実施の形態の画像記録装置２１では、熱転写用プラテン２６と、感熱用プラテン２８とが別々に設けられるので、記録モードを変更するときには前記プラテン２６，２８を入れ替えることによって、容易に記録モードの変更を行うことができる。
【００４４】
本実施の形態の画像記録装置によれば、どちらか一方の記録紙がなくなっても、記録作業が中断することなく他方の記録紙に引続いて記録することができる。
【００４５】
本実施の形態の画像記録装置２１を用いるファクシミリ装置１０１によれば、ファクシミリを受信中、熱転写記録モードおよび感熱記録モードのいずれかの一方のモードで記録しているときに、この記録モードに対応する記録紙がなくなったときに、自動的に他方の記録モードに切換えて、引き続き記録することができるので、記録紙切れによる通信エラーを少なくすることができる。
【００４６】
熱転写記録モードから感熱記録モードに切り換えるとき、プラテン記録位置にある熱転写用プラテン２６は、インクリボン２３によってプラテン退避位置側に押圧されるので、熱転写用プラテン２６はプラテン記録位置から確実に離間し、プラテン退避位置に配置することができる。
【００４７】
本発明に従う画像記録装置２１は、ファクシミリ装置に代えて、パーソナルコンピュータから送られる画像データを記録紙に記録するプリンタ装置として用いられてもよい。
【００４８】
【発明の効果】
以上のように本発明によれば、インクリボンを使用する熱転写記録モードと、インクリボンを必要としない感熱記録紙を使用する感熱記録モードとを操作者の手を煩わせることなく切換えることができ、画像データを目的に応じた記録モードで容易に記録することができる。また熱転写用プラテンと、感熱用プラテンとが別々に設けられるので、記録モードを変更するときには前記プラテンを入れ替えることによって、容易に、かつ確実に記録モードの変更を行うことができる。しかも熱転写用プラテンまたは感熱用プラテンを退避位置と記録位置とにわたって選択的に移動させることができる。
【図面の簡単な説明】
【図１】本発明の実施の一形態である画像記録装置２１および画像記録装置２１を含むファクシミリ装置１０１を示す断面図である。
【図２】画像記録装置２１および画像記録装置２１を含むファクシミリ装置１０１を示す断面図である。
【図３】図１および図２のライン形サーマルヘッド２２および切換手段７１を含む部分を拡大し、熱転写記録モードから感熱記録モードに切換える手順を示す図である。
【図４】図１および図２のライン形サーマルヘッド２２および切換手段７１を含む部分を拡大し、感熱記録モードから熱転写記録モードに切換える手順を示す図である。
【図５】従来技術である画像記録装置１が熱転写記録モードになっている状態を示す断面図である。
【図６】画像記録装置１が感熱記録モードになっている状態を示す断面図である。
【図７】画像記録装置１の熱転写記録モードと感熱記録モードとを切換える作業を示す断面図である。
【符号の説明】
２１  画像記録装置
２２  ライン形サーマルヘッド
２３  インクリボン
２４  普通記録紙
２５  感熱記録紙
２６  熱転写用プラテン
２７  カム
２８  感熱用プラテン
２９  揺動アーム
３３  普通紙センサ
４２  感熱紙センサ
７１  切換手段
１０１  ファクシミリ装置
【図１】
0003593308.tif 000002
【図２】
0003593308.tif 000003
【図３】
0003593308.tif 000004
【図４】
0003593308.tif 000005
【図５】
0003593308.tif 000006
【図６】
0003593308.tif 000007
【図７】
0003593308.tif 000008